(57)【要約】      （修正有）【課題】通常のトイレに常設して使用する携帯トイレを収容する包装容器を提供する。【解決手段】上部に開口部を有する収容凹部と、収容凹部の開口縁から外向きに延びるフランジ部２ａ，２ｃと、開口部を覆うように、収容凹部と一体的に形成された蓋部９とを有する包装容器であって、収容凹部が、底部１と、底部から立ち上がる枠状の側壁部１０とを有する。蓋部が少なくとも１つの突出部６を有し、開口部を覆った際に蓋部とフランジ部とが接する面の一部が接着されており、蓋部が開口部を覆った際に、突出部が、蓋部と接着されていないフランジ部の近傍で収容凹部に収まることが好ましい。１つの包装容器に複数の携帯トイレ８を収容することができ、トイレに常設することが可能である。【選択図】図２
0003193290.tif 000002
【実用新案登録請求の範囲】
【請求項１】
上部に開口部を有する収容凹部と、収容凹部の開口縁から外向きに延びるフランジ部と、開口部を覆うように、収容凹部と一体的に形成された蓋部とを有する包装容器であって、
収容凹部が、底部と、底部から立ち上がる枠状の側壁部とを有する、
携帯用トイレを収容するための包装容器。
【請求項２】
蓋部が少なくとも１つの突出部を有し、開口部を覆った際に蓋部とフランジ部とが接する面の一部において、蓋部とフランジ部とが接着されており、
蓋部が開口部を覆った際に、突出部が、蓋部と接着されていないフランジ部の近傍で収容凹部に収まることを特徴とする請求項１に記載の包装容器。
【請求項３】
蓋部が開口部を覆った際に蓋部とフランジ部とが接する面において、蓋部とフランジ部とが接着されており、
フランジ部に切り取り用のミシン目を有し、
ミシン目に沿って切取部を切り取ることにより、収容凹部を開口する、請求項１又は２に記載の包装容器。
【請求項４】
底部が略矩形であり、
開口縁を形成する一つの辺が、蓋部と収容凹部とを連結し、蓋部が開口部を覆うように折り曲げが可能な折曲部であり、
開口縁を構成し、且つ、該辺と略平行な辺から延びるフランジ部が前記ミシン目を有しており、蓋部が開口部を覆った際に、突出部が開口縁を構成する残りの辺に沿った側壁部と略平行となるように収容凹部に収まる、請求項３に記載の包装容器。
【請求項５】
携帯トイレを収容した請求項１〜４のいずれかに記載の包装容器。
【考案の詳細な説明】
【技術分野】
【０００１】
本考案は、携帯トイレを収容する包装容器に関する。
【背景技術】
【０００２】
震災等の非常時下においては、電気、ガス、あるいは水道等のライフラインの供給が停止するおそれがある。そのような状況では、ライフラインが回復するまで、被災者は備蓄用品を用いて生活することを強いられる。備蓄用品には、常備食の他に、水、毛布等の保温シート、衛生用品、及び簡易トイレ等が含まれる。簡易トイレには、組み立て式の大型のものや、トイレや箱に消臭シートを被せるものなどさまざまな形態が存在し、特にトイレに被せて使うようなシート型の簡易トイレ（以下、携帯トイレという）は、持ち運びがしやすく、保管場所の節約ができるという利点がある。
【０００３】
しかし、例えば、防災用品の袋に保管されたままである等、携帯トイレは実際にはトイレに常設されていないことが多い。そのため、発災直後に携帯トイレが手元にない場合は、被災者は排泄を我慢できずに、水の流れない通常のトイレに排泄し、トイレは排泄物により、非常に不衛生な環境となってしまう。
【０００４】
一般的に、シート型の携帯トイレは、通常のトイレに設置して使用するものであり、シートにより排泄物を包み込むことによって衛生的に排泄物を処理する構造を有する。そのため、発災から数時間が経過した後に携帯トイレを入手できたとしても、既に不衛生な環境となっているトイレにおいて携帯トイレを使用することはできなくなる。したがって、不衛生な環境にしないためにも、携帯トイレはトイレに常設されていることが望ましい。
【０００５】
しかし、個別に携帯トイレを配置するだけでは持ち去られてしまうおそれがあるため、携帯トイレを常設するための包装容器が必要であった。
【考案の概要】
【考案が解決しようとする課題】
【０００６】
本考案は、携帯トイレを収容する包装容器を提供することを課題とする。
【課題を解決するための手段】
【０００７】
本考案は、上部に開口部を有する収容凹部と、収容凹部の開口縁から外向きに延びるフランジ部と、開口部を覆うように、収容凹部と一体的に形成された蓋部とを有する包装容器であって、収容凹部が、底部と、底部から立ち上がる枠状の側壁部とを有する、携帯用トイレを収容するための包装容器に関する。
【０００８】
本考案の上記包装容器は、蓋部が少なくとも１つの突出部を有し、開口部を覆った際に蓋部とフランジ部とが接する面の一部において、蓋部とフランジ部とが接着されており、蓋部が開口部を覆った際に、突出部が、蓋部と接着されていないフランジ部の近傍で収容凹部に収まる態様が好ましい。
【０００９】
本考案の上記包装容器は、蓋部が開口部を覆った際に蓋部とフランジ部とが接する面において、蓋部とフランジ部とが接着されており、フランジ部に切り取り用のミシン目を有し、ミシン目に沿って切取部を切り取ることにより、収容凹部を開口する態様が好ましい。
【００１０】
本考案の上記包装容器は、底部が略矩形であり、開口縁を形成する一つの辺が、蓋部と収容凹部とを連結し、蓋部が開口部を覆うように折り曲げが可能な折曲部であり、開口縁を構成し、且つ、該辺と略平行な辺から延びるフランジ部が前記ミシン目を有しており、蓋部が開口部を覆った際に、突出部が開口縁を構成する残りの辺に沿った側壁部と略平行となるように収容凹部に収まる態様が好ましい。
【００１１】
本考案の上記包装容器は、携帯トイレを収容した態様が好ましい。
【考案の効果】
【００１２】
本考案によれば、１つの包装容器に複数の携帯トイレを収容することができ、トイレに常設することが可能である。また、携帯トイレをトイレに常設することで、携帯トイレの認知度を高めることができ、災害発生時には携帯トイレを使用するものだということを啓蒙する効果も期待できる。
【図面の簡単な説明】
【００１３】
【図１】本考案の包装容器の実施の形態の一例を示す正面図である。
【図２】本考案の包装用浮の実施の形態の一例を示す上面図である。
【図３】本考案の包装容器の実施の形態の一例を示す側面図である。
【図４】本考案の包装容器を壁に設置した場合の一例を示す図である。
【考案を実施するための形態】
【００１４】
以下、図面を用いて本考案の実施の形態を説明するが、本考案は図面及び実施の形態に限定されるものではない。
【００１５】
図１に、本考案の包装容器の実施の形態の一例の正面図を示す。図１に示す本考案の包装容器１００は、底部１、フランジ部２、切取部３、ミシン目４、接着部５、突出部６及び折曲部７を備え、図示しないが、収容物８を収容するための収容凹部を有する。収容凹部は、底部１と、底部１から立ち上がる枠状の側壁部１０とを有する。ここで、収容物８は、シート状に包装された携帯トイレである。また、図示しないが、包装容器１００はさらに、フランジ部２と開口部１１とを覆うように、収容凹部と一体的に形成された蓋部９を備える。蓋部９によりフランジ部２と開口部１１と覆う際、収容凹部は、底部１と蓋部９との間に存在する。突出部６は、フランジ部２ａ及び２ｃと略平行に位置するように設置される。
【００１６】
フランジ部２は収容凹部の開口縁から外向きに延び、正面図左側のフランジ部２ａ、正面図上側のフランジ部２ｂ及び正面図右側のフランジ部２ｃの三方向に存在する。蓋部９とフランジ部２ｂとは接着部５において接着されており、フランジ部２ｂが有する切り取り用のミシン目４に沿って切取部３を切り取ることによって、蓋部９とフランジ部２ｂとを乖離させ、収容凹部の開口部１１を開口させることができる。
【００１７】
本考案の包装容器１００は、プラスチックシートを成形することで、収容凹部と蓋部とが一体的に形成されているものである。ただし、包装容器１００の素材はプラスチックに限定されるものではなく、例えば、髪や繊維等であっても良い。折曲部７にて折り曲げることで、蓋部９が開口部１１を覆うものであり、蓋部９とフランジ部２ｂとは接着部５により接着されている。ここで、接着部５の接着は、接着剤を用いる方法、熱処理による方法、あるいは圧着する方法等が挙げられるが、本考案の包装容器はいずれの方法にも限定されるものではない。
【００１８】
包装容器１００はフランジ部２ａ〜２ｃのそれぞれを蓋部９と接着するものではなく、折曲部７と略平行に位置するフランジ部２ｂと蓋部９とを接着するものである。また、突出部６は、シートの成形時に押圧により形成されるものである。フランジ部２ｂと蓋部９とを接着した接着部５と、突出部６とを設けることにより、接着されていないフランジ部２ａ及び２ｃの隙間から収容物８の抜き取りを防止している。このように設計することで、包装容器として最低限の包装ができ、フランジ部２と蓋部９とを接着する工程を最低限の回数に抑え、製造コストを削減することができる。
【００１９】
突出部６は、壁に設置した場合における左右方向の側壁部１０に沿って側壁部と略平行の位置に存在し、側壁部１０の近傍に存在するように収容凹部に収まるものである。突出部６は側壁部１０と接しても良いが、上述の通り、収容物８の抜き取りを防止するために存在するものであるから、収容凹部に収め、外部から破壊できないようにする必要がある。また、突出部６は、側壁部１０の近傍に存在するものであるが、接着部５を有しないフランジ部２ａ及び２ｃに沿って存在することがより好ましい。
【００２０】
図２は、本考案の包装容器の実施の形態の一例を示す上面図である。図２に示すように、本考案の包装容器１００は、蓋部９に少なくとも１つの突出部６を備えるものであり、複数のシート型の収容物８を収容できる。
【００２１】
図３は、本考案の包装容器の実施の形態の一例を示す側面図である。上述したように、蓋部９とフランジ部２ｃとは接着されていないが、本考案の包装容器１００は、蓋部９に突出物６を備えることにより、フランジ部２ｃと蓋部９が接着されていないにもかかわらず、フランジ部２ｃと蓋部９との間に生じる隙間から収容物８を抜き取ることができないものである。なお、フランジ部２ａについても同様に、蓋部９との間に生じる隙間から収容物８を抜き取ることができない。
【００２２】
突出部６の高さに、特に制限はなく、収容凹部の深さと同程度であっても良く、収容凹部の深さの半分程度であっても良い。フランジ部２ａ又は２ｃと蓋部９との間にできる隙間から包装容器の内部が隔離できる高さがあればよく、適宜設計できる。
【００２３】
図４に、本考案の包装容器を壁に設置した場合の一例を示す。図４（ａ）に示すように、包装容器１００は、蓋部９が開口部１１を覆った際に、収容凹部のフランジ部２と接しない蓋部９の面が、壁と接するように設置することが可能である。ここで、蓋部９と壁面とは、接着剤や両面テープ等により接着しても良いし、フランジ部２ｂに穴をあけて、壁面に用意したフック等に掛けるようにしても良い。壁と接するように設置することで、包装容器ごと持ち去られるおそれが減少する。
【００２４】
フランジ部２ｂの切取部３をミシン目４に沿って切り取った場合、図４（ｂ）に示す状態となる。包装容器１００の開口部１１が現れ、収容物８が取り出し可能となる。ここで、蓋部９が壁面に設置されていることから、包装容器１００が開いても収容物８は外部に落ちることはない。
【００２５】
本考案の包装容器は、収容物８を詰めて販売するものである。既に収容物８を購入済みの顧客に対しては、一度収容物を回収し、本考案の包装容器に詰め直すサービスを提供する、あるいは、包装容器を設置するサービス等が考えられる。
【符号の説明】
【００２６】
１００  包装容器
１      底部
２      フランジ部
３      切取部
４      ミシン目
５      接着部
６      突出部
７      折曲部
８      収容物
９      蓋部
１０    側壁部
１１    開口部
【図１】
0003193290.tif 000003
【図２】
0003193290.tif 000004
【図３】
0003193290.tif 000005
【図４】
0003193290.tif 000006